(57)【要約】【課題】  机上等に安定して載置されている起立の状態から容易に折りたため、かつ折りたたまれた状態から容易に起立の状態に戻るカードスタンドを提供することである。【解決手段】  本発明のカードスタンド１は、第１支持部２、第１立設部３、第２立設部４、および第２支持部５の順番で連続する一枚の板状部材であり、それらの間を折り曲げ、第２支持部５が載置面１０に対して傾斜するように第２支持部５の挿入片を第１支持部２のスリット状の被挿入部２２に挿入し、第１支持部２が載置面１０に対して傾斜するように第１支持部２の第１係止片２１を第２立設部４の第１被係止部に係止し、側面視で２つの三角形Ｔ１、Ｔ２が形成され、第２立設部４と第１支持部２とで形成される第１三角形Ｔ１の内角Ａ１が鈍角であることを特徴とする。【選択図】図２
2015150745.tif 000002
【特許請求の範囲】
【請求項１】
複数枚のカード状部材を保持するカードスタンドであって、
第１立設部、第２立設部、第１支持部、および第２支持部を有し、
前記第１支持部、前記第１立設部、前記第２立設部、および前記第２支持部の順番で連続する一枚の板状部材であり、
前記第２支持部は前記順番の方向に突出した挿入片を有し、
前記第１支持部は前記挿入片が挿入される被挿入部と前記順番の逆方向に突出した第１係止片とを有し、
前記第２立設部は、前記第１係止片の左右方向の移動が固定され、かつ上下方向で上端および下端への移動が規制されるが所定長さの移動を許容する第１被係止部を有し、
前記第１支持部と前記第１立設部との間が折り曲げられ、前記第１立設部と前記第２立設部との間が折り曲げられ、前記第２立設部と前記第２支持部との間が折り曲げられ、前記挿入片が前記被挿入部に挿入され、前記第１係止片が前記第１被係止部に挿入係止され、側面視で２つの三角形が形成され、
前記三角形は、前記第１立設部、前記第２立設部、および前記第１支持部で形成される第１三角形と、前記第２立設部、前記第１支持部、および前記第２支持部で形成される第２三角形と、の２つであり、
前記第１三角形の内角のうち前記第２立設部と前記第１支持部とで形成される内角が鈍角である、カードスタンド。
【請求項２】
前記第２立設部は前記第１被係止部の前記第２支持部側端部から前記第１立設部に向かって突出した第２係止片を有し、
前記第１支持部は前記第１係止片近傍に前記第２係止片が挿入係止する第２被係止部を有する、請求項１に記載のカードスタンド。
【請求項３】
前記第１立設部は第２立設部側、前記第２立設部は前記第１立設部側に、前記順番方向に対して直角方向となる幅方向に複数の孔が形成されており、
前記孔に挿入されるリング状部材によって前記カード状部材を保持する、請求項１または２に記載のカードスタンド。
【発明の詳細な説明】
【技術分野】
【０００１】
本発明はカレンダー片やメモ用紙等のカード状部材を保持するカードスタンドに関する。
【背景技術】
【０００２】
カレンダー片やメモ用紙等のカード状部材を保持して机上に飾ることができるカードスタンドは様々な種類がある。例えば、特許文献１では、一枚の紙を折り曲げて側面視が略三角形になる台紙の上辺に形成された複数の孔にリングを挿入してカレンダー片を保持する卓上カレンダーを開示している。この卓上カレンダーは底辺側が連続しており、上辺側がリングで連結されている。底辺の略中央には折り曲げ可能な折り曲げ部４ｂを有しており、カレンダー片に書き込む際には卓上カレンダーを倒すと折り曲げ部４ｂが曲がるため書き込みやすく、書き込み後は側面視で三角形に戻して机上に載置する。
【先行技術文献】
【特許文献】
【０００３】
【特許文献１】特開２００８−６２６３６号公報
【発明の概要】
【発明が解決しようとする課題】
【０００４】
本発明は上記実情に鑑みなされたもので、机上等に安定して載置されている起立の状態から容易に折りたため、かつ折りたたまれた状態から容易に起立の状態に戻るカードスタンドを提供することを解決すべき課題とする。
【課題を解決するための手段】
【０００５】
（１）上記課題を解決するための発明のカードスタンドは、複数枚のカード状部材を保持するカードスタンドであって、
第１立設部、第２立設部、第１支持部、および第２支持部を有し、
前記第１支持部、前記第１立設部、前記第２立設部、および前記第２支持部の順番で連続する一枚の板状部材であり、
前記第２支持部は前記順番の方向に突出した挿入片を有し、
前記第１支持部は前記挿入片が挿入される被挿入部と前記順番の逆方向に突出した第１係止片とを有し、
前記第２立設部は、前記第１係止片の左右方向の移動が固定され、かつ上下方向で上端および下端への移動が規制されるが所定長さの移動を許容する第１被係止部を有し、
前記第１支持部と前記第１立設部との間が折り曲げられ、前記第１立設部と前記第２立設部との間が折り曲げられ、前記第２立設部と前記第２支持部との間が折り曲げられ、前記挿入片が前記被挿入部に挿入され、前記第１係止片が前記第１被係止部に挿入係止され、側面視で２つの三角形が形成され、
前記三角形は、前記第１立設部、前記第２立設部、および前記第１支持部で形成される第１三角形と、前記第２立設部、前記第１支持部、および前記第２支持部で形成される第２三角形と、の２つであり、
前記第１三角形の内角のうち前記第２立設部と前記第１支持部とで形成される内角が鈍角であることである。
【０００６】
上記（１）の発明は以下に記す（２）および（３）の構成の少なくとも一方を任意に加えて採用できる。
【０００７】
（２）前記第２立設部は前記第１被係止部の前記第２支持部側端部から前記第１立設部に向かって突出した第２係止片を有し、
前記第１支持部は前記第１係止片近傍に前記第２係止片が挿入係止する第２被係止部を有する。
【０００８】
（３）前記第１立設部は第２立設部側、前記第２立設部は前記第１立設部側に、前記順番方向に対して直角方向となる幅方向に複数の孔が形成されており、
前記孔に挿入されるリング状部材によって前記カード状部材を保持する。
【発明の効果】
【０００９】
本発明のカードスタンドは、机上等に安定して載置できる側面視で２つの三角形が形成される起立状態に、一枚の板状部材から容易に組み立てることができる。そして、２つの三角形のうち、第１立設部、第２立設部、および第１支持部で形成される第１三角形の第２立設部と第１支持部とで形成される内角が鈍角であるため、起立状態から容易に折りたため、また容易に起立状態に戻ることができる。さらに、第２被係止部と第２係止片とが係止されることで、起立状態をより安定して保持することができる。また、リング状部材が挿入される複数の孔が形成されていることで、第１立設部と第２立設部との間でめくることができるように、カード状部材を保持することができる。
【図面の簡単な説明】
【００１０】
【図１】実施形態１のカードスタンドを展開した状態を示す説明図である。
【図２】実施形態１のカードスタンドの側面図である。
【図３】斜め上方向から視認したカードスタンドを模式的に表した説明図である。
【図４】斜め上方向から視認したカード状部材を保持したカードスタンドを模式的に表した説明図である。
【図５】その他の実施形態のカードスタンドを展開した状態を示す説明図である。
【発明を実施するための形態】
【００１１】
本発明のカードスタンドについて図１〜図４を参照して以下詳細に説明を行う。
【００１２】
（実施形態１）
・構成
本実施形態１のカードスタンド１は、弾力のある一枚の板から、図１に示される外形で型抜きされる。厚さや素材については特に限定されないが、折り曲げることができる厚さで、弾力のある素材として例えば、厚紙やＰＥＴなどの樹脂を用いることができる。「弾力のある」とは、後述する３つの折り曲げ部１１〜１３で折り曲げ、側面視で２つの三角形Ｔ１，Ｔ２が形成される組み立てられたカードスタンド１がつぶされて第１支持部２、第１立設部３、第２立設部４、第２支持部５が略平行になった状態から、側面視で２つの三角形Ｔ１，Ｔ２が視認できる状態に戻れる弾性を有する程度である。
【００１３】
カードスタンド１は、第１支持部２、第１立設部３、第２立設部４、および第２支持部５の順番で連続する一枚の板状部材である。以後、この順番の方向に平行な方向を長手方向とし、長手方向に対して直角方向を幅方向とする。カードスタンド１は、第１支持部２および第１立設部３の間の第１折り曲げ部１１と、第１立設部３および第２立設部４の間の第２折り曲げ部１２と、第２立設部４および第２支持部４の間の第３折り曲げ部１３とで折り曲げられる。３つの折り曲げ部１１〜１３は図中で破線で示されており、折り目を表す。
【００１４】
第１立設部３は、第２立設部４側に孔３１が幅方向に複数並んで形成されている。第２立設部４は、第１立設部３側に孔４１が幅方向に複数並んで形成されている。孔３１と孔４１とは、第２折り曲げ部１２が折り曲げられた状態で連通する位置に形成されている。
【００１５】
第１支持部２は、長手方向で端部から突出した第１係止片２１と、長手方向の途中に幅方向に切り欠いたスリット（被挿入部）２２とを有する。第２支持部５は長手方向で端部から突出した挿入片５１を有し、挿入片５１は３つの折り曲げ部１１〜１３を折り曲げて組み立てた際にスリット２２に挿入される。第２立設部４は、中央付近に長手方向に長い、ほぼ長方形に切り欠いた第１被係止部４２を有し、さらに第１被係止部４２の第２支持部５側の端部から第１立設部３側に突出した第２係止片４３を有する。
【００１６】
第１被係止部４２は、幅方向が第１支持部２の第１係止片２１とほぼ同じで、３つの折り曲げ部１１〜１３を折り曲げて組み立てた際に、第１係止片２１が挿入係止される。挿入係止された第１係止片２１は、幅方向に移動ができず、長手方向に所定長さ移動できる。第１被係止部４２の長手方向の所定長さは、係止される第１係止片２１が長手方向（組み立て後の上下方向）で第１立設部３側の端部（第２折り曲げ部１２）および第２支持部５側の端部（第３折り曲げ部１３）まで移動できない長さである。そのため、第１支持部２は、３つの折り曲げ部１１〜１３を折り曲げて組み立てた際に載置面に対して傾斜する。
【００１７】
そして、第１支持部２には、第１係止片２１部分に切り欠いた第２被係止部２３が形成されており、３つの折り曲げ部１１〜１３を折り曲げて組み立てた際に第２立設部４の第２係止片４２が挿入係止される。
【００１８】
・組み立て
カードスタンド１を図２および図３に示すように組み立てる際は、第２支持部５の挿入片５１が第１支持部２のスリット２２に挿入され、かつ第１支持部２の第１係止片２１が第２立設部４の第１被係止部４２に挿入されるように、３つの折り曲げ部１１〜１３を折り曲げる。例えば、図１において、折り曲げ部１１〜１３の全てを山折り、あるいは全てを谷折りにする。
【００１９】
３つの折り曲げ部１１〜１３を折り曲げた後は、挿入片５１をスリット２２に挿入し、第１係止片２１を第１被係止部４２に挿入し、第２被係止部２３に第２係止片４３を挿入する。組み立てられたカードスタンド１は、図２に示すように、第１支持部２および第２支持部５はそれぞれ載置される面１０に対して傾斜しており、側面視で２つの三角形が形成される。１つは第１立設部３と第２立設部４と第１支持部２とで形成される第１三角形Ｔ１で、もう１つは第２立設部４と第１支持部５と第２支持部５とで形成される第２角形Ｔ２である。そして、第１三角形Ｔ１の３つの内角のうち、第２立設部４と第１支持部２とで形成される内角Ａ１は鈍角（Ａ１＞９０度）となる。カードスタンド１は、第１折り曲げ部１１と第３折り曲げ部１３が載置面１０に接し、第２折り曲げ部１２を上方にして安定して起立する。
【００２０】
・作用
組み立てられ起立した状態のカードスタンド１は、第１支持部２の第１係止片２１が第２立設部４の第１被係止部４２の下端に当接し、第１係止片２１が下方にそれ以上移動するのを規制している。そのため、第１支持部２は第１折り曲げ部１１から第２立設部３に向かって上向きに保持される。さらに、第１支持部２と第２立設部３とで形成される角度が鈍角であるため、カードスタンド１は第１折り曲げ部１１と第３折り曲げ部１３とを近づけるように折りたたむことができる。折りたたまれる際、第１係止片２１は第１被係止部４２の長孔を上方に移動し、第２被係止部２３と第２係止片４３との係止が外れる。そして、第１係止片２１も第１被係止部４２から係止が外れ、第１支持部２および第２支持部５は互いに第１立設部３および第２立設部４に挟まれる状態となる。この時、第２支持部５の挿入片５１は第１支持部２のスリット２２に挿入された状態のままである。カードスタンド１は、折りたたむことで第１立設部３および第２立設部４やカードスタンド１に保持されるカレンダー片などに書き込みしたりしやすくなる。折りたたみは、寝かせてからでも立設した状態でも可能である。折りたたむ際、好ましくは第１折り曲げ部１１または第３折り曲げ部１３側の下方を押すと折りたたみ易い。そして、折りたたまれたカードスタンド１は、書き込むのをやめたり、カードスタンド１を押さえている力を抜いたりすることで簡単に２つの三角形が側面視できる状態に戻り、第１折り曲げ部１１と第３折り曲げ部１３とを下端にして載置することができる。
【００２１】
また、組み立てられた状態のカードスタンド１は、図４に示すように第１立設部３および第２立設部４の上方に形成された孔３１，４１にリング状部材６を通し、カレンダー片などのカード状部材７を保持させることができる。カレンダー片などのカード状部材７は第１立設部３および第２立設部４の孔３１，４１のように上方に孔７１が形成されており、リング状部材６を通すことで、カードスタンド１に保持される。カード状部材７は、リング状部材６に保持されているため、第１立設部３側から第２立設４側にめくることができる。なお、カード状部材７は図４に示す、第１立設部３または第２立設部４から長手方向および幅方向がはみ出さない方形に限定されない。例えば、楕円形や複雑な形状も保持可能である。しかし、上方に飛び出す形状のカード状部材７を保持する場合はリング状部材６で保持されてもめくりにくく、下方に突出するカード状部材７を保持する場合は安定して起立しにくくなるため、長手方向では飛び出さない大きさが好ましい。また、カードスタンド１は、第１立設部３の表面３２に直接、カレンダー片や写真などの表示したいものを印刷したり、貼り付けたりすることもできる。例えば、カード状部材７が全てめくられた下やめくられる前の表示をカード状部材７の前後の年のカレンダーにしたり、会社の宣伝にしたり、様々な表示が可能である。
【００２２】
・効果
本実施形態１のカードスタンド１は、一枚の板状部材からなり、組み立てると第１支持部２と第２支持部５とが載置面１０に対して傾斜しており、側面視で２つの三角形、第１三角形Ｔ１と第２三角形Ｔ２とが構成される。第１三角形Ｔ１は、３つの内角のうち第１支持部２と第２立設部４と形成される内角Ａ１が鈍角である。このような構成を有することでカードスタンド１は、容易に組み立てられ、接着材などを使用しなくても安定して起立できる。そして、起立状態から容易に折りたたむことができ、かつ折りたたまれても容易に安定して起立できる状態に戻ることができる。さらに、第２被係止部２３と第２係止片４３とが係止されることで、カードスタンド１はより安定して起立する形状を保持することができる。また、リング状部材６が挿入される複数の孔３１，４１が形成されていることで、第１立設部３と第２立設部４との間でめくることができるように、カード状部材７を保持することができる。
【００２３】
（その他の実施形態）
以上、本発明の好適な実施形態について説明したが、本発明は上記実施形態に限定されるものではない。例えば、全体として幅方向で長手方向に平行な外形ではなく、第１支持部２、第１立設部３、第２立設部４、第２支持部５のうち、何れかが弧状であったり、全体が弧状であったり、また何れかの１つ以上が幅方向で突出するように大きくした形状なども採用できる。つまり、３つの折り曲げ部１１〜１３が載置面１０に対して略平行であれば様々な形状が採用可能である。
【００２４】
また、第１立設部３および第２立設部４の孔３１，４１も必ずしも形成される必要はなく、カード状部材７をのりづけによりカードスタンド１に保持する構成も採用可能である。その際、カード状部材７が複数保持されていれば、一枚一枚を破ったり、折ったりすることでめくることが可能である。
【００２５】
さらに、第１支持部２のスリット２２は図５に示すように、幅方向の両端に幅方向に少し切り込まれている切り込み２４が形成されている。そして、スリット２２に挿入される挿入片５１は、幅方向の最大長さを切り込み２４も含んだ長さとする。切り込み２４は、組み立てる際に挿入片５１の最大幅部分が通過後は長手方向で切り込みが分かりにくいように閉じることで、組み立て後に挿入片５１と被挿入部２２との挿入がより外れにくくなる。
【符号の説明】
【００２６】
１・・・カードスタンド  １０・・・載置面  １１・・・第１折り曲げ部
１２・・・第２折り曲げ部  １３・・・第３折り曲げ部
２・・・第１支持部  ２１・・・第１係止片  ２２・・・被挿入部
２３・・・第２被係止部  ２４・・・切り込み
３・・・第１立設部  ３１、４１・・・孔
４・・・第２立設部  ４２・・・第１被係止部  ４３・・・第２係止片
５・・・第２支持部  ５１・・・挿入片
【図１】
2015150745.tif 000003
【図２】
2015150745.tif 000004
【図３】
2015150745.tif 000005
【図４】
2015150745.tif 000006
【図５】
2015150745.tif 000007